(57)【特許請求の範囲】
【請求項１】
液体試料中の特定成分を分析するための用具であって、
支持体１、
該支持体に固定された光透過性フィルム２、
該光透過性フィルムの上部に隙間８、
該光透過性フィルムを覆うように、かつ該光透過性フィルムとの間に１〜２００μｍの隙間を有する様に固定された多孔性フィルム３、
該光透過性フィルムに面していない側の該多孔性フィルム面上に固着した試薬層４からなることを特徴とする分析用具。
【請求項２】
光透過性フィルム２の上部に隙間８を設けるためのスペーサー７を配置することを特徴とする請求項１に記載の分析用具。
【請求項３】
支持体１が、直径０．５〜１０ｍｍの貫通孔を有し、光透過性フィルム２が、該貫通孔を覆っていることを特徴とする請求項１又は２に記載の分析用具。
【請求項４】
試薬層４を覆うように、支持体１上に固定した試料保持層５を有することを特徴とする請求項１〜３、いずれかに記載の分析用具。
【請求項５】
液体試料中の特定成分を分析するための用具であって、
光透過性フィルム２、
該光透過性フィルムの上部に隙間８、
該光透過性フィルムを覆うように、かつ該光透過性フィルムとの間に１〜２００μｍの隙間を有する様に固定された多孔性フィルム３、
該光透過性フィルムに面していない側の該多孔性フィルム面上に固着した試薬層４を、マウント６内に有することを特徴とする分析用具。
【請求項６】
光透過性フィルム２の上部に隙間８を設けるためのスペーサー７を配置することを特徴とする請求項５に記載の分析用具。
【請求項７】
少なくとも試薬層４を覆い、支持体１との間に、毛細管室１０を形成するように、該支持体に固定され、試料供給口１１と空気抜き口１２を有したカバー９を有することを特徴とする請求項１に記載の分析用具。
【請求項８】
光透過性フィルム２が、
空隙率が１０〜９０％、孔径が０．０１〜２μｍ、厚さが５〜３０μｍであることを特徴とする請求項１〜７、いずれかに記載の分析用具。
【請求項９】
多孔性フィルム３が、
空隙率が１０〜９６％、孔径が０．０１〜２０μｍ、厚さが５〜１５０μｍであることを特徴とする請求項１〜８、いずれかに記載の分析用具。
【請求項１０】
試薬層４が、不溶性粒子を含有することを特徴とする請求項１〜９、いずれかに記載の分析用具。
【請求項１１】
試薬層４が、液体試料中の特定成分を分析するための酵素及び色素前駆体を含有することを特徴とする請求項１〜１０、いずれかに記載の分析用具。
【請求項１２】
請求項１〜６、又は８〜１１、いずれかに記載の分析用具を用いて、液体試料中の特定成分を分析する方法であって、液体試料を試料保持層に滴下することによって試薬層に浸透させ、試薬層及び多孔性フィルムを通過し、漏れ出てくる試薬の溶解した液体試料を多孔性フィルムと光透過性フィルムとの隙間に保持し、生成した色素を光透過性フィルムの大気に面している側から、分析することを特徴とする分析方法。
【請求項１３】
請求項１２に記載の液体試料中の特定成分を分析する方法であって、液体試料が供給されたことを試料保持層における光学的変化によって検知し、自動的に分析することを特徴とする分析方法。
【請求項１４】
請求項１〜３、又は７〜１１、いずれかに記載の分析用具を用いて、液体試料中の特定成分を分析する方法であって、液体試料を試料供給口に滴下、又は試料供給口から吸引することによって液体試料を毛細管室に導入させ、試薬層に到達させた後、液体試料を試薬層に浸透させ、試薬層及び多孔性フィルムを透過し、漏れ出てくる試薬の溶解した液体試料を多孔性フィルムと光透過性フィルムとの隙間に保持し、生成した色素を光透過性フィルムの大気に面している側から、分析することを特徴とする分析方法。
【請求項１５】
請求項１４に記載の液体試料中の特定成分を分析する方法であって、液体試料が供給されたことを毛細管室における光学的変化によって検知し、自動的に分析することを特徴とする分析方法。
【発明の詳細な説明】
【０００１】
【発明に属する技術分野】
本発明は、液体試料中の特定成分を分析するための分析用具に関する。
【０００２】
【従来の技術】
これまで液体試料中の特定成分を迅速かつ簡易に分析するための手段として、多くの乾式の分析用具が開発されてきた。
乾式分析用具は、試薬の調製を必要とせず、測定対象試料を用具に滴下することなどの簡単な操作のみにより、液体試料中の特定成分を分析することを可能にしている。
【０００３】
分析用具の構造は、例えば、分析される試料を保持または展開させる層と分析に用いられる試薬を保持する層と反応の場となる層を有する。
測定時、液体試料により試薬層中の試薬を溶解することによって呈色反応が開始する。呈色した色素量は反応層の表面より光学的手段により反射率を測定し、これにより試料中の特定成分を分析する。
【０００４】
臨床検査の分野において、液体試料中の特定成分の分析には、基質特異性の高い酵素反応を用いた分析法が従来より広範囲に用いられている。
【０００５】
例えば、特定成分がグルコース、乳酸、尿酸、コレステロールなどの体液分析のような酸化酵素を用いた反応系の場合、一般的に、酸素の供給が、充分行われる必要がある。
しかし、従来の乾式分析用具においては、反応の場である試薬層が分析試料と支持体とに挟まれた形状となり、外部から酸素を充分供給することができなかった。
【０００６】
これまでの乾式分析用具としては、例えば、酸化酵素及び過酸化酵素を用いた検出系をポリマー中に分散させ、プラスチック部材に塗布した耐水性試験フィルムが特公昭４９−３３８００号に記載されている。このフィルムは、試料を試薬層と一定時間接触させた後に脱脂綿等で拭き取り除去することにより、生成した呈色色素の測定をフィルムの試料供給側から行うことを可能とした。
しかし、反応により測定可能な色素量を得るには、試料の拭き取りの後、大気中に一定時間放置し、試薬層に酸素を充分量供給する必要がある。
【０００７】
特公昭５３−２１６７７号には、液体不浸透性支持体上に、試薬層及び展開層を設けた多層試験フィルムが開示されている。このフィルムの展開層に試料を点着すると、試料は展開層で広がった後、試薬層に移行する。試薬層において生成した呈色色素を液体不浸透性支持体側より測定する。しかし、このフィルムにおいては、反応の場である試薬層が測定試料と支持体とに挟まれた形となるため、反応系の中の酸素量が不足し、測定に充分な反応を行わせる事ができなかった。
【０００８】
この欠点を解決するために、特開昭６０−８２８５９号に一体型多層分析用具が開示された。この分析用具は、展開層と試薬層との間に酸素透過性蛋白質不透過性光遮蔽層を有しており、大気と試薬層の接触を向上させている。しかし、試薬層への支持体側は大気と接触していないため、試薬層への酸素の供給は充分とはいえなかった。
【０００９】
本出願人による特開昭６０−２０５３６４号に開示されている分析用具は、試薬層と支持体の間に多孔質疎水性の酸素供給層を設けている。これにより試薬層への酸素供給を著しく向上させることができた。しかし、この酸素供給層は、充分量の酸素を保有するための厚みを有するため、支持体側からの光透過性が得られず、試料を除去した後、試料供給側から生成した呈色色素を測定しなければならなかつた。
【００１０】
しかし、本出願人により、この解決策として、多孔性フィルムを試薬層の支持体に用いた分析用具が特開平２−１５０７５１号において開示されている。  この分析用具は多孔性フィルム上に試薬層を設置している。これにより、多孔性フィルムの試薬層側とは逆の側面が大気に接触するため、酸素が多孔性フィルム側より供給され、充分な反応を行わせることが可能となった。
しかし、この方法を用いると、液体試料が試薬層及び多孔性フィルムを透過することによって液漏れが発生し、測定面である多孔性フィルム上の乱反射や液体試料の層形成による光学的距離の変化等の影響により、光学的測定におけるバラツキを生じることがわかった。
さらに、液体試料が全血の場合、ヘマトクリット値、つまり赤血球の影響をかなり受けることがわかった。
【００１１】
また、本出願人により、支持体とカバーが毛細管現象を誘導する程度の間隔で設置されて毛細管を形成している分析用具が特開平４−１８８０６５号において開示されている。
しかし、この方法も又、液体試料が試薬層及び多孔性フィルムを透過することによって液漏れが発生し、測定面である多孔性フィルム上の乱反射や液体試料の層形成による光学的距離の変化等の影響により、光学的測定におけるバラツキを生じることがわかった。
さらに、この方法も又、液体試料が全血の場合、ヘマトクリット値、つまり赤血球の影響をかなり受けることがわかった。
【００１２】
【発明が解決しようとする課題】
本発明の目的は、上記の様な従来技術の問題点を解決し、迅速かつ簡便に精度良く、特定成分を分析するための用具及び方法を提供することである。
【００１３】
【課題を解決するための手段】
本発明は、特開平２−１５０７５１号及び特開平４−１８８０６５号の改良でもあり、特開平２−１５０７５１号及び特開平４−１８８０６５号に記載のものが応用できる。
【００１４】
本発明は、液体試料中の特定成分を分析するための用具であって、
支持体１、
該支持体に固定された光透過性フィルム２、
該光透過性フィルムの上部に隙間８、
該光透過性フィルムを覆うように、かつ該光透過性フィルムとの間に１〜２００μｍの隙間を有する様に固定された多孔性フィルム３、
該光透過性フィルムに面していない側の該多孔性フィルム面上に固着した試薬層４からなることを特徴とする分析用具である。
【００１５】
また、光透過性フィルム２の上部に隙間８を設けるためのスペーサー７を配置してもよい。
【００１６】
さらに、該支持体が、直径０．５〜１０ｍｍの貫通孔を有し、該光透過性フィルムが、該貫通孔を覆っていてもよいし、該試薬層を覆うように、該支持体上に固定した試料保持層５を有してもよい。
【００１７】
また、液体試料中の特定成分を分析するための用具であって、
光透過性フィルム２、
該光透過性フィルムの上部に隙間８、
該光透過性フィルムを覆うように、かつ該光透過性フィルムとの間に１〜２００μｍの隙間を有する様に固定された多孔性フィルム３、
該光透過性フィルムに面していない側の該多孔性フィルム面上に固着した試薬層４を、マウント６内に有することを特徴とする分析用具である。
【００１８】
これもまた、光透過性フィルム２の上部に隙間８を設けるためのスペーサー７を配置してもよい。
【００１９】
また、少なくとも該試薬層を覆い、該支持体との間に、毛細管室１０を形成するように、該支持体に固定され、試料供給口１１と空気抜き口１２を有したカバー９を有することを特徴とする分析用具である。
【００２０】
さらに、液体試料中の特定成分を分析する方法であって、液体試料を試料保持層に滴下することによって試薬層に浸透させ、試薬層及び多孔性フィルムを通過し、漏れ出てくる試薬の溶解した液体試料を多孔性フィルムと光透過性フィルムとの隙間に保持し、生成した色素を光透過性フィルムの大気に面している側から分析することを特徴とする分析方法である。
【００２１】
ここで、液体試料が供給されたことを試料保持層における光学的変化によって検知し、自動的に分析することもできる。
【００２２】
また、液体試料中の特定成分を分析する方法であって、液体試料を試料供給口に滴下、又は試料供給口から吸引することによって液体試料を毛細管室に導入させ、試薬層に到達させた後、液体試料を試薬層に浸透させ、試薬層及び多孔性フィルムを透過し、漏れ出てくる試薬の溶解した液体試料を多孔性フィルムと光透過性フィルムとの隙間に保持し、生成した色素を光透過性フィルムの大気に面している側から、分析することを特徴とする分析方法である。
【００２３】
ここで、液体試料が供給されたことを毛細管室における光学的変化によって検知し、自動的に分析することもできる。
【００２４】
【発明の実施の形態】
本発明における支持体は、材質が光透過性のものであっても、また、支持体の試料保持層のみに覆われている部分に、貫通孔を更に１個設けても良い。
これにより、血液などの試料が試料保持層に滴下された事を、測定側から確認することが可能となる。そして、試料滴下から測定までの時間を一定にして自動的に分析することが可能となる。
【００２５】
本発明に用いる多孔性フィルムは、種々のものを用いることができる。
ただし、空隙率が１０〜９６％、孔径が０．０１〜２０μｍ、厚さが５〜１５０μｍの多孔性フィルムが好適である。
なぜなら、この様な多孔性フィルムは空気透過性であり、酸化反応の必要な酸素を空気中から試薬層に容易に充分量供給することができるからである。
上記の多孔性フィルムには、種々のものがある。
例えば、ニュークリポア（ニュークリポア製）及びセルガード（ヘキストセラニーズ製）、サイクロポア（ワットマン製）、オムニポア（ミリポア製）、ゴアテックス（ゴアテックス製）、フィルタライト（メムテック製）の商品名で市販されている。
【００２６】
本発明における光透過性フィルムは、ポリエチレンテレフタレート、ポリスチレンなど種々のものや、上記の多孔性フィルムを用いることができる。
ただし、空隙率が１０〜９０％、孔径が０．０１〜２μｍ、厚さが５〜３０μｍのものが好適である。また、フィルムの材質は疎水性のものがよい。
【００２７】
試料保持層は、滴下された液体試料を試料保持層全面に広げ、かっその試料が振動等により流出するのを防ぐという機能を有する。このような試料保持層の材料としては、繊維性多孔性材料が好ましく、例えば、濾紙、織物、不織布、メッシュ、メンブレン等が好適である。試料保持層に、抗凝固剤、アスコルビン酸オキシダーゼ、コレステロールエステラーゼ等を予め保持させておくことも可能である。
【００２８】
多孔性フィルム、光透過性フィルム及び試料保持層の支持体への固定は、例えば、熱可塑性樹脂を用いて熱圧着するか、又は両面テープ等を用いて行うことができる。
【００２９】
本発明における試薬層は、特定成分を分析可能な酵素及び色素前駆体を含有する。
例えば、特定成分がグルコースの場合、グルコースオキシダーゼ、、ペルオキシダーゼおよび４−アミノアンチピリン、Ｎ−エチル−Ｎ−（２−ヒドロキシ−３−スルホプロピル）−３，５−ジメチルアニリンなど種々の色素前駆体を含有する。
また、試薬層は、光を遮蔽する不溶性粒子を含有し、これにより、例えば、血液の様な着色成分含有試料の分析においても、多孔性フィルム側から測定する事により、着色成分を隠蔽し、正確な分析結果を得ることが可能となる。
【００３０】
不溶性粒子としては、二酸化チタン、酸化亜鉛、硫酸バリュウム及び酸化マグネシウムなどの光反射性の白色粒子が好適であるが、液体試料に溶解せず光を遮蔽する物質であればどのようなものでも良い。
例えば、フルオロカーボン、ポリスチレンラテックス粒子、炭酸カルシウム、タルク、アルミニウム粉末、デキストラン、アクリル系ポリマー粒子、ポリスチレン系ラテックス粒子などがあげられる。
【００３１】
試薬液の塗布性能を高めるために、試薬液に親水性高分子を添加してもよい。親水性高分子としては、ヒドロキシプロピルセルロース、メチルセルロース、アルギン酸ナトリウム、ポリビニルアルコール、ポリビニルピロリドン、ゼラチン、修飾ゼラチン、寒天等があげられる。
更に、試薬層の形状を維持したり、浸透性を向上するために、これら親水性高分子に乳化エマルジョン系接着剤やラテックス粒子を添加することもある。
【００３２】
また、試薬液に界面活性剤、可塑剤、安定化剤などを加えることによっても塗布性能及び反応性を向上させることができる。
【００３３】
本発明における試薬層を、酵素や色素前駆体等を含む反応層と二酸化チタンのような不溶性粒子を含む分離層の２層に分けることも可能である。
【００３４】
試薬層を浸透し、多孔性フィルムまで浸透してきた液体試料は、漏洩するという問題を起こす。
この液体試料が漏洩する問題は、しばしば分析用具としての性能を悪化させるが、本発明によれば、光透過性フィルムが試薬層を固着する多孔性フィルムと微少な隙間を維持して面している場合、多孔性フィルムから漏洩した液体試料は光透過性フィルムの材質の疎水性のため、表面張力により光透過性フィルムに固有する孔からは漏洩することなく、多孔性フィルムと光透過性フィルムの隙間を広がる。すなわち、液体試料が下部に配置された光透過性フィルムを透過し、漏洩することのない安定した測光面を得ることが可能となる。
【００３５】
また、試薬層が光学的な反射層となるため、漏洩した液体試料で満たされた、多孔性フィルムと光透過性フィルムの間隙がセルとなり、漏洩した液体試料中で呈色した色素量を光学的に測定することが可能となる。
【００３６】
さらに、血液試料の場合、ヘマトクリット値が変化した場合、漏洩する液体試料の量は変化するが、漏洩した液体試料に応じて多孔性フィルムと光透過性フィルムの間隙を横方向に展開するため、多孔性フィルムと光透過性フィルムの間隙の大きさは変化しない。従って、光学的セル長が、血液試料のヘマトクリット値により変化しないため、測定値への影響の回避が可能となる。
【００３７】
以下に実施例を示すが、これによって本発明が限定されるものではない。
【００３８】
【実施例１】
血中グルコースの定量
多孔性フィルム（ニュークリポア；厚み２０μｍ）に下記の組成の試薬液を濡れ厚さ１００μｍで塗布し、乾燥後、１６ｍｍ×１６ｍｍに裁断した。
試薬液組成：
グルコースオキシダーゼ                                    １０ｋｕ
ペルオキシダーゼ                                          ２０ｋｕ
４−アミノアンチピリン                                  １５０ｍｇ
Ｎ−エチル−Ｎ−（２−ヒドロキシ−３−スルホプロピル）
−３，５−ジメチルアニリン                              ２００ｍｇ
０．１５Ｍリン酸緩衝液（ｐＨ７．０）                        ２ｍｌ
４．０ｗｔ％ヒドロキシプロピルセルロース水溶液              ３ｇ
５０ｗｔ％二酸化チタン水溶液                                １ｇ
熱可塑性樹脂が塗布され、直径４ｍｍの貫通孔を有する支持体に、貫通孔を覆うように、７ｍｍ×７ｍｍに切断した光透過性フィルム（ニュークリポア；厚み２０μｍ）を重ね、熱圧着した。
厚み３０μｍのポリエチレンテレフタレートフィルムを２ｍｍ×７ｍｍに切断し、これを４本用意し、上記の光透過性フィルム周囲に設置し、支持体と熱圧着した。
その上に前記の１６ｍｍ×１６ｍｍの試薬層を固着した多孔性フィルムを試薬層を上にして重ね、支持体と熱圧着した。
更に、２０ｍｍ×２０ｍｍの濾紙を重ね、支持体と熱圧着し、分析用具を作製した。
【００３９】
これを、図１を用いて説明する。
図１は、貫通孔を有する支持体１上に貫通孔を覆うように固定した光透過性フィルム２、光透過性フィルム２を覆うようにかつ隙間を有するように支持体１に固定された多孔性フィルム３、多孔性フィルム３に固着した試薬層４、試薬層を覆うように支持体１に固定した試料保持層５を有する分析用具の断面図である。光透過性フィルム２、多孔性フィルム３及び試料保持層５は、熱可塑性樹脂又は両面テープ（図示せず）で支持体１に固定されている。
【００４０】
また、別の態様を、図２、３、４に示す。
図２は、図１に示す分析用具の、支持体１上の試料保持層５のみに覆われている部分に、貫通孔を設けた態様を示す。
これは、例えば、血液などの試料が滴下されたことを矢印Ａの位置において検知し、検知後、一定時間反応させ、矢印Ｂの位置で試薬層４の反射率を測定し、分析することができる。
【００４１】
図３は、貫通孔を有する支持体１上に貫通孔を覆うように固定した光透過性フィルム２、光透過性フィルム２を覆うようにかつ隙間を有するように支持体１に固定された多孔性フィルム３、多孔性フィルム３に固着した試薬層４、試薬層を覆うように支持体１に固定した試料保持層５をマウント６内に有する分析用具の断面図である。マウントは、多孔性フィルム側及び試料保持層側のいずれにも貫通孔を有する。
【００４２】
図４は、貫通孔を有する支持体１上に貫通孔を覆うように固定した光透過性フィルム２、光透過性フィルム２を覆うようにかつ隙間を有するように支持体１に固定された多孔性フィルム３、多孔性フィルム３に固着した試薬層４、試薬層を覆いながら、支持体との間に、毛細管室１０を形成するように、支持体に固定されたカバー９から成る分析用具の断面図である。このカバー９は、試料供給開口１１と空気抜き開口１２を有する。
なお、図１〜図４は、わかり易くするために上下方向を拡大してある。
【００４３】
【比較例１】
比較として、熱可塑性樹脂が塗布され、直径４ｍｍの貫通孔を列を有する支持体に、貫通孔を覆うように、前記の試薬層を固着した多孔性フィルムを試薬層を上にして重ね、支持体と熱圧着した。更に２０ｍｍ×２０ｍｍの濾紙を重ね、支持体と熱圧着し、分析用具を作製した。
【００４４】
実施例１、比較例１で作製した分析用具に、同一のヘマトクリット値で、種々のグルコース濃度の異なる血液試料を２０μｌずつ滴下し、１分後に支持体の貫通孔を通して、下方から、積分球式反射率計を用いて測定波長λ＝６４０ｎｍにおける反射率をｎ＝２０で測定した。
また、同一のグルコース濃度で、種々のヘマトクリット値の異なる血液試料を上述と同様の方法でｎ＝５で測定した。
反射率から、
クベルカームンク（Ｋｕｂｅｌｋａ−Ｍｕｎｋ）の式の簡略型：
Ｋ／Ｓ＝（１−Ｒ）２／２Ｒ
Ｋ：定数
Ｓ：散乱係数
Ｒ：反射率／１００
に従って、Ｋ／Ｓ値を求めた。
Ｋ／Ｓ値は、モル濃度に相関するので、検量線を作成して、濃度換算することができる。
再現性として、濃度換算後の変動係数（Ｃ．Ｖ．（％））を求めた。
測定結果を表１、表２、表３、表４に示す。
【００４５】
【表１】
0003647000.tif 000002
【００４６】
【表２】
0003647000.tif 000003
【００４７】
【表３】
0003647000.tif 000004
【００４８】
【表４】
0003647000.tif 000005
【００４９】
実施例１に示す本発明の分析用具と比較例１の分析用具を比較した場合、どちらもグルコース濃度に対するＫ／Ｓ値の変化について、直線性がみられる。
しかし、血液試料のヘマトクリット値の変化についての分析値を比較すると、比較例１の分析用具より、実施例１の分析用具は再現性が向上し、ヘマトクリット値による影響が小さくなった。
【００５０】
【実施例２】
血中乳酸の定量
多孔性フィルム（サイクロポア；厚み２０μｍ）に下記の組成の試薬液を濡れ厚さ１００μｍで塗布し、乾燥後、実施例１と同様に分析用具を作製した。
試薬液組成：
乳酸オキシダーゼ                                        ９９０ｋｕ
ペルオキシダーゼ                                          ２３ｋｕ
４−アミノアンチピリン                                    ５０ｍｇ
Ｎ−エチル−Ｎ−（２−ヒドロキシ−３−スルホプロピル）
−３，５−ジメチルアニリン                              ２００ｍｇ
０．３０Ｍリン酸緩衝液（ｐＨ７．０）                        ２ｍｌ
４．０ｗｔ％ヒドロキシプロピルセルロース水溶液          ３．７ｇ
５０ｗｔ％二酸化チタン水溶液                            １．２ｇ
非イオン性界面活性剤（１０％トリトンＸ−１００）        ０．５ｍｌ
【００５１】
【比較例２】
比較例の分析用具も、比較例１と同様に作製した。
【００５２】
実施例２、比較例２で作製した分析用具に、同一のヘマトクリット値で、種々の乳酸濃度の異なる血液試料を２０μｌずつ滴下し、１分後に支持体の貫通孔を通して、下方から、積分球式反射率計を用いて測定波長λ＝６４０ｎｍにおける反射率をｎ＝２０で測定した。
また、同一乳酸濃度で、種々のヘマトクリット値の異なる血液試料を上述と同様の方法でｎ＝５で測定した。
測定結果を表５、表６、表７、表８に示す。
【００５３】
【表５】
0003647000.tif 000006
【００５４】
【表６】
0003647000.tif 000007
【００５５】
【表７】
0003647000.tif 000008
【００５６】
【表８】
0003647000.tif 000009
【００５７】
実施例２に示す本発明の分析用具と比較例２の分析用具を比較した場合、どちらも乳酸濃度に対するＫ／Ｓ値の変化について、直線性がみられる。
しかし、血液試料のヘマトクリット値の変化についての分析値を比較すると、比較例２の分析用具より、実施例２の分析用具は再現性が向上し、ヘマトクリット値による影響がかなり小さくなった。
【００５８】
【発明の効果】
以上、詳述したように、本発明の分析用具を用いると、液体試料中の特定成分を迅速かつ簡便に分析することができ、かつ液体試料が測光面に漏洩することのない安定した光学的測定が可能となり、再現性が向上した。
しかも、液体試料が全血の場合、ヘマトクリット値の影響が軽減され、臨床検査等において絶大な効果をもたらす。
【図面の簡単な説明】
【図１】  本発明の液体試料分析用具の態様の断面図である。
【図２】  本発明の液体試料分析用具の態様の断面図である。
【図３】  本発明の液体試料分析用具の態様の断面図である。
【図４】  本発明の液体試料分析用具の態様の断面図である。
【符号の説明】
１    支持体
２    光透過性フィルム
３    多孔性フィルム
４    試薬層
５    試料保持層
６    マウント
７    スペーサー
８    隙間
９    カバー
１０    毛細管室
１１    試料供給口
１２    空気抜き口
【図１】
0003647000.tif 000010
【図２】
0003647000.tif 000011
【図３】
0003647000.tif 000012
【図４】
0003647000.tif 000013